(57)【要約】  歯科用インプラントまたは歯科用コネクタへの摩擦嵌め取り付けを形成するための歯科用補綴物について説明する。補綴物は、第１の位置から第２の位置に補綴物に対して移動可能である解除部材を備える解除装置を備える。解除部材が第１の位置にあるときに、解除装置は、インプラントまたはコネクタと補綴物との間の摩擦嵌め取り付けに対する分離力を付与するように動作可能ではなく、かつ解除部材が第２の位置にあるときに、解除装置は、インプラントまたはコネクタと補綴物との間の摩擦嵌め取り付けに対する分離力を付与するように動作可能である。
2019530510.tif 000002
【特許請求の範囲】
【請求項１】
歯科用インプラントまたは歯科用コネクタとの摩擦嵌めからの歯科用補綴物の解除を補助するための摩擦嵌め型歯科用補綴物用の解除装置であって、
前記歯科用補綴物への取り付けのためのハウジングと、
第１の位置から第２の位置に前記ハウジングに対して移動可能である解除部材とを備え、
前記解除部材が前記第１の位置にあるときに、前記解除装置が、前記インプラントまたはコネクタと前記補綴物との間の摩擦嵌め取り付けに対する分離力を付与するように動作可能ではなく、かつ前記解除部材が前記第２の位置にあるときに、前記解除装置が、前記インプラントまたはコネクタと前記補綴物との間の摩擦嵌め取り付けに対する分離力を付与するように動作可能であるように、前記解除装置が前記補綴物内に配置される、
解除装置。
【請求項２】
歯科用インプラントまたは歯科用コネクタへの摩擦嵌め取り付けを形成するための歯科用補綴物であって、
第１の位置から第２の位置に前記補綴物に対して移動可能である解除部材を備える解除装置を備え、
前記解除部材が前記第１の位置にあるときに、前記解除装置が、前記インプラントまたはコネクタと前記補綴物との間の摩擦嵌め取り付けに対する分離力を付与するように動作可能ではなく、かつ前記解除部材が前記第２の位置にあるときに、前記解除装置が、前記インプラントまたはコネクタと前記補綴物との間の摩擦嵌め取り付けに対する分離力を付与するように動作可能である、
歯科用補綴物。
【請求項３】
部品キットであって、
歯科用インプラントまたは歯科用インプラントあるいはその両方への取り付けのための歯科用コネクタと、
前記インプラントまたはコネクタとの摩擦嵌めを形成するように動作可能な歯科用補綴物であって、第１の位置から第２の位置に前記補綴物に対して移動可能である解除部材を備える解除装置を備える前記補綴物とを備え、
前記解除部材が前記第１の位置にあるときに、前記解除装置が、前記インプラントまたはコネクタと前記補綴物との間の摩擦嵌め取り付けに対する分離力を付与するように動作可能ではなく、かつ前記解除部材が前記第２の位置にあるときに、前記解除装置が、前記インプラントまたはコネクタと前記補綴物との間の摩擦嵌め取り付けに対する分離力を付与するように動作可能である、
部品キット。
【請求項４】
部品キットであって、
歯科用補綴物を形成するための組成物と、
前記歯科用補綴物への取り付けのためのハウジングを備える解除装置であって、第１の位置から第２の位置に前記ハウジングに対して移動可能である解除部材を更に備える解除装置とを備え、
前記解除部材が前記第１の位置にあるときに、前記解除装置が、前記インプラントまたはコネクタと前記補綴物との間の摩擦嵌め取り付けに対する分離力を付与するように動作可能ではなく、かつ前記解除部材が前記第２の位置にあるときに、前記解除装置が、前記インプラントまたはコネクタと前記補綴物との間の摩擦嵌め取り付けに対する分離力を付与するように動作可能であるように、前記解除装置が前記補綴物内に配置される、
部品キット。
【請求項５】
部品キットであって、
歯科用インプラントまたは歯科用コネクタからの歯科用補綴物の解除を補助するための摩擦嵌め型歯科用補綴物用の解除装置であって、前記歯科用補綴物への取り付けのためのハウジングと、第１の位置から第２の位置に前記ハウジングに対して移動可能である解除部材とを備える解除装置を備え、
前記解除部材が前記第１の位置にあるときに、前記解除装置が、前記インプラントまたはコネクタと前記補綴物との間の摩擦嵌め取り付けに対する分離力を付与するように動作可能ではなく、かつ前記解除部材が前記第２の位置にあるときに、前記解除装置が、前記インプラントまたはコネクタと前記補綴物との間の摩擦嵌め取り付けに対する分離力を付与するように動作可能であるように、前記解除装置が前記補綴物内に配置され、
前記キットが、前記解除部材を前記第１の位置から前記第２の位置へと作動させるように動作可能な嵌合具を更に備える、
部品キット。
【請求項６】
前記解除装置がハウジングを備える、請求項２〜５のいずれか一項に記載の歯科用補綴物または部品キット。
【請求項７】
前記ハウジングの前記外面が、前記解除装置を前記補綴物内に保持するのを補助するように動作可能な保持部材を備える、請求項１〜６のいずれか一項に記載の解除装置、歯科用補綴物または部品キット。
【請求項８】
前記解除装置が、段階的なレベルの分離力を与えるように動作可能である、請求項１〜７のいずれか一項に記載の解除装置、歯科用補綴物または部品キット。
【請求項９】
前記解除部材が前記ハウジングまたは補綴物あるいはその両方の内部における捕捉された解除部材であり、好ましくは、前記解除部材が取り外し可能に捕捉される、請求項１〜８のいずれか一項に記載の解除装置、歯科用補綴物または部品キット。
【請求項１０】
前記解除装置が、前記解除装置を前記補綴物の咬合表面または頬側表面上で作動させることができるように前記補綴物内に配置されるかまたは配置されるように動作可能である、請求項１〜９のいずれか一項に記載の解除装置、歯科用補綴物または部品キット。
【請求項１１】
前記ハウジングまたは補綴物が、好適な大きさの歯科用インプラントまたは歯科用コネクタを受け入れて前記好適な大きさの歯科用インプラントまたは歯科用コネクタとの摩擦嵌めを形成するように動作可能な取付室を備える、請求項１〜１０のいずれか一項に記載の解除装置、歯科用補綴物または部品キット。
【請求項１２】
前記解除部材が前記取付室よりも上に配置され、好ましくは、前記解除部材が前記取付室よりも上に捕捉されて保持される、請求項１１に記載の解除装置、歯科用補綴物または部品キット。
【請求項１３】
前記解除部材が、前記ハウジングまたは補綴物の前記取付室内に延びるように動作可能であり、好適には、前記第２の位置では、前記解除部材が、前記第１の位置においてよりも更に前記取付室内に延びる、請求項１１または１２に記載の解除装置、歯科用補綴物または部品キット。
【請求項１４】
前記解除部材が、並進運動または回転運動あるいはその両方により前記第１の位置から前記第２の位置に移動するように動作可能である、請求項１〜１３のいずれか一項に記載の解除装置、歯科用補綴物または部品キット。
【請求項１５】
前記解除部材が、前記解除部材の回転により前記第１の位置から前記第２の位置に移動するように動作可能であり、好ましくは、前記解除部材が、前記ハウジングの前記取付室の長手方向軸線を横切る軸線を中心に回転するように動作可能である、請求項１〜１４のいずれか一項に記載の解除装置、歯科用補綴物または部品キット。
【請求項１６】
前記解除部材がカムを備え、好適には前記カムが、前記第２の位置において前記支台またはインプラントに接触して分離力を付与する凸部を備える、請求項１〜１５のいずれか一項に記載の解除装置、歯科用補綴物または部品キット。
【請求項１７】
請求項２〜１６のいずれか一項に記載の歯科用補綴物と歯科用インプラントまたは歯科用コネクタとの間の摩擦嵌めの解除方法であって、
ａ．前記補綴物が前記歯科用インプラントまたは歯科用コネクタから解除されるように前記解除部材を前記第１の位置から前記第２の位置へと作動させるステップ
を含む、方法。
【請求項１８】
請求項２〜１６のいずれか一項に記載の歯科用補綴物の製造方法であって、
ａ．新たな補綴物の製造中に前記解除装置を補綴物内に組み込むステップと、
ｂ．補綴物に穴を開けて前記解除装置を前記穴内に接合するステップと
を含む、方法。
【請求項１９】
歯科用インプラントまたは歯科用コネクタとの摩擦嵌め取り付けからの歯科用補綴物の解除のための請求項１〜１６のいずれか一項に記載の解除装置の使用。
【発明の詳細な説明】
【技術分野】
【０００１】
本発明は、歯科用補綴物用の解除装置に関する。より具体的には、本発明は、摩擦嵌め型歯科用補綴物内で使用される解除装置に関する。
【背景技術】
【０００２】
クラウン、ブリッジおよび義歯などの、歯科用補綴物は、欠損歯を代替するために一般的に使用される。そのような補綴物は、いくつかの方法のうちの１つ（他の歯との接続、歯科用インプラントへの接続、吸着、または周囲の筋肉による受動的保持）により口内の適所に保持され得る。
【０００３】
歯科用インプラントの使用は通常、インプラントを顎骨に挿入することを伴う。そのようなものとして、歯科用インプラントは、口への他の取り付け方法と比較してもたらされる天然歯組織の安定性および保存性の向上のために好まれる可能性がある。
【０００４】
歯科用補綴物は、歯科用インプラントに直接取り付けるか、またはインプラントと補綴物との間の中間体としての機能を果たす、プレススタッド式の接続、バーもしくは円錐状支台などのコネクタを介して取り付けることができる。概して、補綴物は、何らかの形態の支台またはバーを介してインプラントに取り付く。
【０００５】
補綴物とインプラントまたはコネクタとの取り付けは、固定するかまたは取り外し可能とすることができる。固定取り付けを形成する方法は、ねじまたは歯科用セメントを含む。しかしながら、補綴物および支持用コネクタを自宅で簡単に掃除できるように使用者が歯科用補綴物自体を取り外すことができる歯科用補綴物を使用者に提供することが求められている。この要求の一部は、歯科用インプラントの不具合を招く可能性のある、「インプラント周囲炎」と呼ばれる状態に対する懸念の高まりから生まれたものである。「固定」インプラント補綴物を自宅でのメンテナンス用に設計することができるが、これにより、使用者が受け入れ難いと感じ得るほど歯の美観が損なわれる可能性がある。
【０００６】
歯科用インプラントを用いた取り外し可能な取り付け方法の使用により、美観に対する制御の向上をもたらすと同時に使用者が補綴物およびコネクタを掃除するために補綴物を自由に取り外すことを可能にする手段を提供することができる。取り外し可能な取り付けは、プレススタッド式の接続または補綴物とインプラントもしくはコネクタとの摩擦嵌めの形成などの方法を用いて実現されてもよい。取り外し可能な補綴物もまた、使用中に十分な安定性を与えなければならない。プレススタッド式の接続が一般的に使用されるが、この種類の取り付けは、経時的に緩む可能性があり、その後、咀嚼機能中に動いて外れることがある。一方で、摩擦嵌め取り付けは、より一層の安定性を与えることができる。この種類の取り付けには、通常、使用中に所望のレベルの安定性を与えるために金属間の摩擦嵌めが用いられる。取り外し可能な１組の歯を使用者に提供するが、より「固定された」感触を与える、バーおよび円錐状支台のような、様々な金属間摩擦嵌め接続が開発されている。
【０００７】
しかしながら、摩擦嵌め接続は優れたレベルの機能を提供するが、使用者が、補綴物とインプラントまたはコネクタとの間に生じるシールの強度のため、補綴物を取り外すのに苦労する可能性があることが分かっている。そのようなものとして、使用者は、補綴物を取り外すために臨床支援を求めることを当てにしなければならず、その結果、衛生状態が低下し、ならびに／または費用および時間の支出が増加する。
【発明の概要】
【発明が解決しようとする課題】
【０００８】
よって、摩擦嵌め取り付けにより与えることができる良好な安定性および美観を維持したまま使用者が摩擦嵌め型歯科用補綴物を容易かつ安全に取り外すことを可能にする手段が必要である。それゆえ、本発明の態様の目的は、上述または他の問題の１つまたは複数を解決することである。
【課題を解決するための手段】
【０００９】
本発明の第１の態様によれば、歯科用インプラントまたは歯科用コネクタとの摩擦嵌めからの歯科用補綴物の解除を補助するための摩擦嵌め型歯科用補綴物用の解除装置であって、
歯科用補綴物への取り付けのためのハウジングと、
第１の位置から第２の位置にハウジングに対して移動可能である解除部材とを備え、
解除部材が第１の位置にあるときに、解除装置が、インプラントまたはコネクタと補綴物との間の摩擦嵌め取り付けに対する分離力を付与するように動作可能ではなく、かつ解除部材が第２の位置にあるときに、解除装置が、インプラントまたはコネクタと補綴物との間の摩擦嵌め取り付けに対する分離力を付与するように動作可能であるように、解除装置が補綴物内に配置される、
前記解除装置が提供される。
【００１０】
有利には、使用者の手のみで補綴物を取り外すには強度が高すぎるシールが補綴物とインプラントまたはコネクタとの間に形成された場合、使用者は、シールを破壊するのに十分な力を与えるために解除装置の解除部材を作動させるだけでよく、その後、いずれも臨床的介入を必要とせずに、より簡単に補綴物を手で取り外すことができる。それゆえ、本発明は、補綴物、インプラントおよびコネクタの有効な衛生状態を使用者が更なる臨床支援を必要とせずに維持するのを許容すると同時に、所望の美観および十分な安定性を有する補綴物を実現する。
【００１１】
本発明の第２の態様によれば、歯科用インプラントまたは歯科用コネクタへの摩擦嵌め取り付けを形成するための歯科用補綴物であって、
第１の位置から第２の位置に補綴物に対して移動可能である解除部材を備える解除装置を備え、
解除部材が第１の位置にあるときに、解除装置が、インプラントまたはコネクタと補綴物との間の摩擦嵌め取り付けに対する分離力を付与するように動作可能ではなく、かつ解除部材が第２の位置にあるときに、解除装置が、インプラントまたはコネクタと補綴物との間の摩擦嵌め取り付けに対する分離力を付与するように動作可能である、
歯科用補綴物が提供される。
【００１２】
本発明の第３の態様によれば、部品キットであって、
歯科用インプラントおよび／または歯科用インプラントへの取り付けのための歯科用コネクタと、
インプラントまたはコネクタとの摩擦嵌めを形成するように動作可能な歯科用補綴物であって、第１の位置から第２の位置に補綴物に対して移動可能である解除部材を備える解除装置を備える補綴物とを備え、
解除部材が第１の位置にあるときに、解除装置が、インプラントまたはコネクタと補綴物との間の摩擦嵌め取り付けに対する分離力を付与するように動作可能ではなく、かつ解除部材が第２の位置にあるときに、解除装置が、インプラントまたはコネクタと補綴物との間の摩擦嵌め取り付けに対する分離力を付与するように動作可能である、
部品キットが提供される。
【００１３】
本発明の第４の態様によれば、部品キットであって、
歯科用補綴物を形成するための組成物と、
歯科用補綴物への取り付けのためのハウジングを備える解除装置であって、第１の位置から第２の位置にハウジングに対して移動可能である解除部材を更に備える解除装置とを備え、
解除部材が第１の位置にあるときに、解除装置が、インプラントまたはコネクタと補綴物との間の摩擦嵌め取り付けに対する分離力を付与するように動作可能ではなく、かつ解除部材が第２の位置にあるときに、解除装置が、インプラントまたはコネクタと補綴物との間の摩擦嵌め取り付けに対する分離力を付与するように動作可能であるように、解除装置が補綴物内に配置される、
部品キットが提供される。
【００１４】
本発明の第５の態様によれば、部品キットであって、
歯科用インプラントまたは歯科用コネクタからの歯科用補綴物の解除を補助するための摩擦嵌め型歯科用補綴物用の解除装置であって、歯科用補綴物への取り付けのためのハウジングと、第１の位置から第２の位置にハウジングに対して移動可能である解除部材とを備える解除装置を備え、
解除部材が第１の位置にあるときに、解除装置が、インプラントまたはコネクタと補綴物との間の摩擦嵌め取り付けに対する分離力を付与するように動作可能ではなく、かつ解除部材が第２の位置にあるときに、解除装置が、インプラントまたはコネクタと補綴物との間の摩擦嵌め取り付けに対する分離力を付与するように動作可能であるように、解除装置が補綴物内に配置され、
キットが、解除部材を第１の位置から第２の位置へと作動させるように動作可能な嵌合具を更に備える、
部品キットが提供される。
【００１５】
本発明の第６の態様によれば、本発明の第２の態様による歯科用補綴物と歯科用インプラントまたは歯科用コネクタとの摩擦嵌めの解除方法であって、
ａ．補綴物が歯科用インプラントまたは歯科用コネクタから解除されるように解除部材を第１の位置から第２の位置へと作動させるステップ
を含む、方法が提供される。
【００１６】
解除装置は、補綴物の製造中に組み込まれてもよく、または既存の補綴物に後付けされてもよい。本発明の第７の態様によれば、本発明の第２の態様による歯科用補綴物の製造方法であって、
ａ．新たな補綴物の製造中に解除装置を補綴物内に組み込むステップと、
ｂ．補綴物に穴を開けて解除装置を穴内に接合するステップと
を含む、方法が提供される。
【００１７】
本発明の第８の態様によれば、本発明の任意の態様による解除装置、補綴物、歯科用インプラントおよび／または歯科用コネクタを３Ｄプリンタに印刷させるように適合されたコンピュータ実行可能命令を有するコンピュータ可読媒体が提供される。
【００１８】
本発明の第９の態様によれば、歯科用インプラントまたは歯科用コネクタとの摩擦嵌め取り付けからの歯科用補綴物の解除のための本発明の第１の態様による解除装置の使用が提供される。
【００１９】
本発明の解除装置は、装置が補綴物と歯科用インプラントおよび／または歯科用コネクタとの摩擦嵌めの解除を作動させ得るように歯科用補綴物内に配置される。
好適には、解除装置は、幅、奥行きおよび高さがそれぞれ最大２０ｍｍ、例えば最大１５ｍｍまたは最大１０ｍｍである。そのようなものとして、解除装置は、前述の大きさよりも大きな寸法を有さなくてもよい。歯科用補綴物の所望の美観および機能性を実現するために解除部材に適した大きさが重要であることが分かるであろう。
【００２０】
本発明の第２および第３の態様の解除装置は、ハウジングを備え得る。
解除装置のハウジングは、金属、好ましくはチタンで形成されてもよい。好適には、ハウジングは、一体に形成されるかまたは別個の構成要素で形成され、好ましくは、ハウジングは一体に形成される。
【００２１】
ハウジングの外面は任意の好適な形状を備え得る。ハウジングの外面は、実質的に円筒状であってもよい。
ハウジングの外面は、補綴物内に解除装置を保持するのを補助するように動作可能な保持部材を備え得る。保持部材は、１つまたは複数のラグ、好適にはハウジングから外方に延びる離間して配置された複数のラグを備え得る。
【００２２】
好適には、解除部材は、嵌合具を使用して解除部材の作動のためのてこ作用を与えるように嵌合具と協働するように動作可能な係合手段を備える。前記係合手段は、ねじ駆動部を含み得る。ねじ駆動部は、それぞれの嵌合具と協働するように動作可能である任意の好適な形状であってもよい。好ましくは、ねじ駆動部は、六角型ねじ駆動部である。
【００２３】
本発明の態様のいずれかは、解除部材を第１の位置から第２の位置へと作動させるように動作可能な嵌合具を更に備え得る。好適には、嵌合具は、角度の補正されたねじ回しである。好ましくは、嵌合具は、解除部材上のねじ駆動部と協働するように動作可能な解除部材係合部分を備える。好適には、嵌合具は、把手部分と解除部材係合部分との間に延びる角度付きシャフトを備える。好適には、シャフトは、２０°〜１６０°、例えば、４０°〜１４０°、または６０°〜１２０°、または８０°〜１００°の角度が付けられ、好ましくは、シャフトは略９０°の角度が付けられる。
【００２４】
解除部材は、並進運動および／または回転運動により、好ましくは回転運動により第１の位置から第２の位置に移動してもよい。解除装置は、任意の好適な材料で形成されてもよい。好適には、解除装置は、チタンなどの金属から形成される。
【００２５】
ハウジングおよび／または補綴物は、第２の位置に解除部材を保持するように動作可能であってもよい。「保持」とは、補綴物とインプラントまたはコネクタとの取り付けを解除するために解除部材の運動により生じる機械的利点が補綴物とインプラントまたはコネクタとの取り付けに発揮されることを可能にするのに十分な期間にわたってハウジングおよび／または補綴物が解除部材を第２の位置に保つことができることを意味する。
【００２６】
好適には、解除装置は、段階的なレベルの分離力を与えるように動作可能である。好ましくは、ハウジングまたは補綴物は、２つ以上の位置に解除部材を保持するように動作可能であり、これらの位置では、分離力が加わるように作用可能である。例えば、ハウジングまたは補綴物は、解除装置が補綴物とインプラントまたはコネクタとの間に分離力を付与することを各位置が可能にし、かつ異なる位置が異なる量の分離力を与える、いくつかの異なる位置に解除部材を保持することができてもよい。例えば、ハウジングまたは補綴物は、解除部材により加わる分離力の量が位置２ａから位置２ｃへと増加する位置２ａ、２ｂまたは２ｃに解除部材を保持することができてもよい。好適には、解除部材およびハウジングおよび／または補綴物は、協働する螺旋状ねじ山を備える。段階的なレベルの力は、解除部材およびハウジングまたは補綴物に配置された協働する螺旋状ねじ山により与えられてもよい。そのようなものとして、補綴物とインプラントまたはコネクタとを分離するように加えられる力の量は、形成されたシールの強度に応じて異なってもよい。
【００２７】
好適には、本発明の任意の態様の解除装置の解除部材は、ハウジングおよび／または補綴物内の捕捉された解除部材である。「捕捉された」とは、解除部材の取り外しを可能にする方式でそれぞれのハウジング、補綴物および／または解除部材を変形させなければ解除部材をハウジングおよび／または補綴物から取り外すことができないことを意味する。好ましくは、解除部材は、ハウジング内の捕捉室内に捕捉されて保持される。
【００２８】
好ましくは、解除部材は取り外し可能に捕捉される。ハウジングの捕捉室は、壁の着脱によりハウジングからの解除部材の取り外しが許容されるように着脱壁を備え得る。
有利には、捕捉される解除部材を設けることにより、使用中に可動部が装置から分離される危険性が低減され、装置の安全性が向上する。更に、制御された方式で捕捉された解除部材が取り外し可能である場合、使用者は、必要であれば装置をより良好に掃除し、かつ／または解除部材が損傷した場合に解除部材を交換することができる。
【００２９】
着脱壁は、保護キャップであってもよい。好適には、保護キャップは、捕捉室の上壁を形成する。任意選択的に、保護キャップは、捕捉室および／またはハウジングの側壁の一部を形成してもよい。保護キャップは、解除部材の係合手段へのアクセスを提供する開口を含み得る。好ましくは、開口が解除部材の係合手段へのアクセスを提供する一方で、保護キャップが解除部材の上面の一部分にわたって延びる。そのようなものとして、保護キャップは、解除部材の露出面の一部を保護すると同時に、解除部材が捕捉室から抜け出るのを防止してもよい。保護キャップは、解除部材の上面の周囲に上面よりも上に延びる隆起部を備え得る。そのようなものとして、保護キャップは、嵌合具を用いての解除部材の作動中における、例えば、嵌合具の滑りによる損傷から補綴物を保護してもよい。保護キャップの外面は、開口に向けて下方に傾斜させるかまたは勾配が付けられてもよい。保護キャップは、保護キャップおよびハウジングまたは補綴物に配置された協働する螺旋状ねじ山などの、任意の好適な手段によりハウジングまたは補綴物に取り外し可能に取り付け可能であってもよい。解除部材および保護キャップは、装置内への物質の侵入を防止するのに役立つように保護キャップの開口の周囲に密着嵌合を形成するように動作可能であってもよい。
【００３０】
有利には、保護キャップの傾斜外面は、嵌合具を解除部材の係合手段内に案内するのに役立つ。
補綴物は、クラウン、ブリッジまたは義歯であってもよい。補綴物または補綴物組成物は、アクリルポリマー、例えばポリメチルメタクリレート（ＰＭＭＡ）などの、ポリマーから形成されるか、または複合樹脂もしくは陶材から形成されてもよい。
【００３１】
解除装置は、解除装置を補綴物の咬合表面上で作動させることができるように歯科用補綴物内に配置されるように動作可能であるかまたは配置されてもよい。好適には、解除装置は、解除部材を補綴物の咬合表面上で作動させ得るように補綴物内に配置される。任意選択的に、解除装置は、咬合表面から離れた箇所に配置されてもよい。例えば、解除装置は、解除装置を補綴物の側部表面上、好ましくは頬側面上で作動させることができるように補綴物内に配置されるように動作可能であるかまたは配置されてもよい。有利には、解除部材の作動点を補綴物の咬合表面から離して配置することにより、解除装置内への食物の侵入の危険性が低減され、それにより、衛生状態が改善される。
【００３２】
インプラントまたはコネクタが解除装置または補綴物との摩擦嵌め取り付けを形成するように動作可能である限り、任意の好適な種類の歯科用インプラントまたは歯科用コネクタが、存在する場合に、本発明と共に使用されてもよい。好適には、摩擦嵌め取り付けを形成するように動作可能なインプラントまたは支台の部分は、金属、好ましくはチタンで形成される。好ましくは、歯科用コネクタは、円錐状支台、バーおよび／または側面が平行なテレスコープ支台などの支台の形態であり、最も好ましくは円錐状支台である。
【００３３】
解除装置の解除部材は、第２の位置において解除部材がインプラントまたはコネクタの表面に、好適にはインプラントまたはコネクタの外面に当接するように、補綴物内に配置されるかまたは配置されるように動作可能であってもよい。好ましくは、解除部材は、第１の位置ではインプラントまたはコネクタの表面に当接しないように動作可能である。コネクタが、コネクタをインプラントに接続するための取付手段を受け入れる孔を備える場合に、好適には、解除部材がコネクタの孔の幅よりも大きな幅を有する。
【００３４】
補綴物は、好適な大きさの歯科用インプラントまたは歯科用コネクタを受け入れて歯科用インプラントまたは歯科用コネクタとの摩擦嵌めを形成するように動作可能な取付室を備え得る。好適には、解除装置のハウジングは、歯科用インプラントまたは歯科用コネクタを受け入れて歯科用インプラントまたは歯科用コネクタとの摩擦嵌めを形成するように動作可能である取付室を備える。
【００３５】
ハウジングまたは補綴物の取付室はテーパ形状とされてもよく、好適には、インプラントまたはコネクタを受け入れるように動作可能である開放端部における最も広い箇所から上方に狭まるようなテーパ形状とされる。好ましくは、室は、０．１°〜１５°の角度、例えば、１°〜１０°、または２°〜８°または３°〜７°または４°〜６°の角度でテーパ形状をなす。好ましくは、室の内表面は、実質的に平滑である。好ましくは、室の内表面は、チタンまたは金などの、金属で形成される。
【００３６】
解除部材は、インプラントまたはコネクタを受け入れるための開放端部とは反対側の端部になど、取付室よりも上に配置されてもよい。好ましくは、解除部材は取付室よりも上に捕捉されて保持される。
【００３７】
好適には、解除部材は、ハウジングまたは補綴物の取付室内に延びるように動作可能である。好適には、第２の位置では、解除部材が、第１の位置においてよりも更に取付室内に延びる。
【００３８】
解除部材は、解除部材の回転により第１の位置から第２の位置に移動するように動作可能であってもよく、好ましくは、解除部材は、ハウジングの取付室の長手方向軸線を横切る軸線を中心に回転するように動作可能である。
【００３９】
解除部材はカムを備え得、好適にはカムは、第２の位置において支台またはインプラントに接触して分離力を付与する凸部を備える。
好適には、解除部材は、解除部材の回転により解除部材の並進運動が生じないようにハウジング内に保持される。好ましくは、分離力の作動により、解除部材の回転運動が補綴物の並進運動に変換される。
【００４０】
本明細書で使用される場合、「分離力」という語句は、平均的な使用者が補綴物を手で取り外すことができる程度にインプラントまたはコネクタと補綴物との取り付けを緩めるのに十分な力を意味するように意図されている。本発明により解決される問題は、臨床的介入を必要とせずに補綴物を取り外すことができるように歯科用補綴物と歯科用インプラントとの間にシールを形成できることであることが認識されるであろう。本発明は、臨床的介入を必要とせずに使用者により補綴物が取り外され得るように補綴物とインプラントまたはコネクタとの間のシールを解除するための装置を提供する。
【００４１】
本明細書に含まれる全ての特徴は、上記の態様のいずれかと任意の組み合わせで組み合わされてもよい。
ここで、添付の図面を参照しながら本発明をほんの一例として説明する。
【図面の簡単な説明】
【００４２】
【図１】本発明の第１の態様による解除装置の第１の実施形態の側断面図を示す。
【図２】本発明の第１の態様による解除装置の第２の実施形態の側面図を示す。
【図３】図２の解除装置の正面図を示す。
【図４】図３の線Ｌ−Ｌに沿った断面図を示す。
【図５】図２の解除装置の斜視図を示す。
【図６】本発明の第１の態様による解除装置の第３の実施形態の側断面図を示す。
【発明を実施するための形態】
【００４３】
歯科用支台１０６との摩擦嵌め状態で配置された解除装置１０２を示す、図１に一定の縮尺で提示された本発明の第１の実施形態をまず参照する。
歯科用円錐状支台１０６は、支台１０６の底部からインプラント１０４の頂部に延びるねじ１１０を介して歯科用インプラント１０４に取り付けられる。ねじ１１０は、支台１０６の孔１０８内に配置され、中心孔１０８は、支台１０６の頂部における開放端部から、ねじ１１０を受け入れて保持する支台１０６の底部におけるフランジ付き開放端部に長手方向に延びる。使用時に、歯科用インプラント１０４は使用者の顎骨内に固定され、かつ支台１０６はインプラント１０４から上方に延びる。支台１０６はチタンで形成され、かつ支台１０６の平滑な円錐状外面は、截頭上面に向かって約５°の角度で内向きにテーパ形状をなす。
【００４４】
図１には、支台１０６外面の上に摩擦嵌め状態で配置された解除装置１０２が示されている。解除装置１０２は、ハウジング１１２と、解除部材１１４と、保護キャップ１２２とで形成される。ハウジング１１２は、チタンで形成され、かつ略円筒状外面と、第１の開放端部１１２ａから第２の開放端部１１２ｂにハウジングを貫通して長手方向に延びる中心孔とを有する。第１の端部１１２ａの領域における孔の円滑な円錐状内面は、第１の端部１１２ａの外縁部における最も広い箇所から第２の端部１１２ｂに向かって約５°の勾配で狭まっている。孔のこの領域は、支台１０６を受け入れて支台１０６との摩擦嵌めを形成するための室を画定する。室は、図１に示すように、解除装置１０２が支台１０６の上に位置決めされたときに孔のその部分が支台１０６の外面との密接な摩擦嵌めを形成するような寸法を有する。
【００４５】
ハウジング１１２の孔の第２の端部１１２ｂ側に捕捉される解除部材１１４が配置される。解除部材１１４は、一体に形成された中実の変形不能な円筒状頭部１１４ｂおよび円筒状尾部１１４ａを含む。尾部１１４ａは、頭部１１４ｂの底面から同心状に延び、かつ頭部１１４ｂの直径よりも狭い直径を有する。尾部１１４ａの下面は平面であり、かつ頭部１１４ｂの上面は六角ねじ駆動部１１８を含む。螺旋状ねじ山１１６は、頭部１１４ｂの側面の周囲に配置される。
【００４６】
解除部材１１４は、ハウジング１１２の内面から内方に延びるフランジ１２０により解除部材１１４の下端部が孔内に保持され、かつ保護キャップ１２２により解除部材１１４の上端部が保持される。フランジ１２０は、頭部１１４ｂではなく尾部１１４ａの通過を可能にするのに十分な幅を有する開口をハウジング１１２の孔内に画成する。環状保護キャップ１２２は、頭部１１４ｂの直径よりも狭いが六角ねじ駆動部１１８の幅よりも広い直径を有する中心開口に向かって下方に延びる平面状の傾斜上面を有する。キャップ１２２は、保護キャップ１２２の内面およびハウジング１１２の外面に配置された協働する螺旋状ねじ山により、ハウジング１１２の第２の端部１１２ｂの上縁部に取り外し可能に取り付けられる。
【００４７】
螺旋状ねじ山１２４は、ハウジング１１２の内面上をフランジ１２０から端部１１２ｂの上縁部に延びている。螺旋状ねじ山１２４は、第１の方向への解除部材１１４の回転により解除部材１１４がハウジング１１２の第１の端部１１２ａに向かって下降しかつ逆方向への回転により解除部材１１４が再びハウジング１１２の第２の端部１１２ｂに向かって上昇するように、解除部材１１４の螺旋状ねじ山１１６と協働するように構成される。フランジ１２０の上面に対する頭部１１４ｂの下面の当接により、解除部材１１４を下降させることができる最大限度が決まる。
【００４８】
直交方向に延びる離間して配置された複数の保持ラグ（図示せず）をハウジング１１２の外面に配置することができる。ハウジング１１２の外面の周囲に歯科用補綴物（図示せず）を形成することができ、保持ラグは、解除装置１０２を補綴物内にしっかりと固定するのを補助する。本実施形態において、解除装置１０２は、ねじ駆動部１１８を含む頭部が補綴物の咬合面からアクセス可能となるように補綴物内に配置される。
【００４９】
図１に示すように、解除装置１０２が支台１０６との摩擦嵌め状態で配置されかつ解除部材１１４が第１の位置にあるときに、解除部材１１４は、支台１０６の上面から持ち上がっている。しかしながら、任意選択的に第１の位置では、支台１０６と補綴物との分離を生じさせるのに必要な力を加えずに解除部材１１４が支台１０６の上面に当接し得ることが分かるであろう。
【００５０】
支台１０６から解除装置１０２（ひいては補綴物）を外すために、使用者は、例えば、ねじ回しなどの、適切な嵌合具を用いて端部１１２ａに向かう解除部材１１４の回転を生じさせることにより解除力を作動させる。使用者は、協働する螺旋状ねじ山１１６および１２４を下方へと回転させながら支台１０６の頂面に当接する解除部材１１４の作用により十分な力が生成されて装置１０２が支台１０６との摩擦嵌めから解除されるまで解除部材１１４を回転させる。摩擦嵌めが解除された状態で、使用者は、支台１０６から装置１０２を手で抜き取って、装置１０２および支台１０６を掃除し始めてもよい。装置１０２を交換するために、使用者は、解除部材１１４を第１の位置に戻し、装置１０２を支台１０６の上に再び位置決めする。
【００５１】
ここで、本発明による解除装置２０２の第２の実施形態を示す図２〜図５を参照する。解除装置は、解除装置１０２と同じ方式で歯科用支台２０６の上に摩擦嵌め状態で配置される。解除装置２０２は、ハウジング２１２と、解除部材１１４と、保護キャップ１２２とで形成される。
【００５２】
ハウジング２１２は、チタンで形成され、かつ中心孔がハウジング２１２の基部から内方に延びて側面においてハウジング２１２から出ることを除いて略円筒状外面を有する。ハウジング２１２の中心孔の初期当接受け部分は、解除装置１０２のものと同じである。
【００５３】
ハウジング２１２の孔の頂部において、捕捉された解除部材２１４は、横方向に延びる。解除部材２１４は、支台２０６の頂部分を受け入れるような大きさとされる、切り欠き部分２１４ｃを別にすれば、略円筒形状を有する。解除部材２１４の第１の端部２１４ａは、ハウジング２１２の内面における窪みに配置される。次いで、解除部材２１４は、第２の端部２１４ｂがハウジング２１２の側壁から突出するようにハウジング２１２の孔を貫通して横方向に延びる。保護キャップ２２２は、解除部材２１４の突出端部２１４ｂの上に配置される。端部２１４ｂの上面は、六角ねじ駆動部を含む。
【００５４】
環状保護キャップ２２２は、解除部材端部２１４ｂの直径よりも狭いが六角ねじ駆動部の幅よりも広い直径を有する中心開口に向かって下方に延びる平面状の傾斜上面を有する。キャップ２２２は、ハウジング２１２の側面に取り外し可能に取り付けられる。
【００５５】
直交方向に延びる離間して配置された複数の保持ラグ（図示せず）をハウジング２１２の外面に配置することができる。ハウジング２１２の外面の周囲に歯科用補綴物（図示せず）を形成することができ、保持ラグは、解除装置２０２を補綴物内にしっかりと固定するのを補助する。本実施形態において、解除装置２０２は、解除部材２１４のねじ駆動部を含む端部２１４ｂが補綴物の側面からアクセス可能となるように補綴物内に配置される。
【００５６】
支台２０６から解除装置２０２（ひいては補綴物）を外すために、使用者は、例えば、ねじ回しなどの、適切な嵌合具を用いて解除部材２１４の回転を生じさせることにより解除力を作動させる。使用者は、支台２０６の頂面に当接する解除部材２１４の回転作用により十分な力が生成されて装置２０２が支台２０６との摩擦嵌めから解除されるまで解除部材２１４を回転させる。摩擦嵌めが解除された状態で、使用者は、支台２０６から装置２０２を手で抜き取って、装置２０２および支台２０６を掃除し始めてもよい。装置２０２を交換するために、使用者は、解除部材２１４を第１の位置に戻し、装置２０２を支台２０６の上に再び位置決めする。本出願に関連して本明細書と同時にまたは本明細書に先行して提出され、また本明細書と共に公開されて公衆の閲覧に付される全ての論文および文献に注意が向けられ、そのような全ての論文および文献の内容は、参照により本明細書に組み込まれる。
【００５７】
ここで、本発明による解除装置３０３の第３の実施形態を示す図６を参照する。解除装置３０３は、解除部材３１４の第１の端部３１４ａが、円筒状凸部３２６であって、解除部材３１４の第１の端部３１４ａの外面がハウジング３１２の外面と面一になるようにハウジング３１２を貫通して延びる円筒状凸部３２６を更に備えることを除いて、解除装置２０２と同じものである。凸部３２６の基部において、端部３１４ａは、外方に延びる肩部を有し、前記肩部は、使用時に解除部材３１４をハウジング３１２内に収容するためにハウジング３１２の内面に当接する。更に、解除部材３１４は、使用時に解除部材３１４を解除装置３０３の内部に収容するように保護キャップ３２２の孔内において環状フランジ３２６に当接する端部３１４ｂ側に環状フランジ３２４を有する。この構成において、端部３１４ｂの外面は、キャップ３２２の端部の外面と面一である。
【００５８】
本明細書（添付の特許請求の範囲、要約書および図面を含む）に開示した特徴の全て、ならびに／あるいはそのように開示した任意の方法またはプロセスのステップの全ては、そのような特徴および／またはステップの少なくともいくつかが相互に排他的である組み合わせを除く、任意の組み合わせで組み合わされてもよい。
【００５９】
本明細書（添付の特許請求の範囲、要約書および図面を含む）に開示した各特徴は、明示的に別段の定めのない限り、同一、同等または類似の目的を果たす代替的な特徴に置き換えられてもよい。したがって、明示的に別段の定めのない限り、開示した各特徴は、一般的な一連の同等または類似の特徴のほんの一例に過ぎない。
【００６０】
本発明は、前述の実施形態の細部に限定されるものではない。本明細書（添付の特許請求の範囲、要約書および図面を含む）に開示した特徴のうちの任意の新規な１つまたは任意の新規な組み合わせ、あるいはそのように開示した方法または工程のステップのうちの任意の新規な１つまたは任意の新規な組み合わせに及ぶ。
【図１】
2019530510.tif 000003
【図２】
2019530510.tif 000004
【図３】
2019530510.tif 000005
【図４】
2019530510.tif 000006
【図５】
2019530510.tif 000007
【図６】
2019530510.tif 000008
【国際調査報告】
2019530510.tif 000009
2019530510.tif 000010